【事件の表示】
　特願２０１６−２２３０７５号「遊技機」拒絶査定不服審判事件〔平成３０年５月２４日出願公開、特開２０１８−７９０５５号〕について、次のとおり審決する。
【結　論】
　本件審判の請求は、成り立たない。
【理　由】
第１　手続の経緯
　本願は、平成２８年１１月１６日の出願であって、平成３１年１月１０日付けで拒絶の理由が通知され、同年２月２７日に意見書及び手続補正書が提出されたところ、同年３月１９日付け（送達日：平成３１年３月２６日）で拒絶査定がなされ、それに対して、令和１年６月１４日に拒絶査定不服審判の請求がなされると同時に手続補正（以下「本件補正」という。）がなされたものである。
第２　本件補正についての補正の却下の決定
［補正の却下の決定の結論］
　本件補正を却下する。
［理由］
１　本件補正の概要
　本件補正は、特許請求の範囲を補正する内容を含んでおり、本件補正により、特許請求の範囲の請求項１は、
（補正前：平成３１年２月２７日付け手続補正）
「【請求項１】
　始動条件の成立に基づき、識別情報が変動するゲームを実行可能な遊技機において、
　前記ゲームに対応する演出表示を表示可能な表示装置と、
　遊技者が操作可能な操作手段と、
　所定の音を出力可能な複数の音出力手段と、
　発光可能な複数の発光手段と、を備え、
　前記複数の音出力手段のうちの一の音出力手段と操作手段の所定位置とを通る仮想的な第１直線又は第１平面と、前記複数の音出力手段のうちの他の音出力手段と操作手段の所定位置とを通る仮想的な第２直線又は第２平面とにより仮想的に規制された第１仮想規制領域が形成され、
　前記複数の発光手段のうちの一の発光手段と操作手段の所定位置とを通る仮想的な第３直線又は第３平面と、前記複数の発光手段のうちの他の発光手段と操作手段の所定位置とを通る仮想的な第４直線又は第４平面とにより仮想的に規制された第２仮想規制領域が形成され、
　前記表示装置は、前記第１仮想規制領域と前記第２仮想規制領域が重複する仮想規制領域内に、前記音出力手段から出力される所定の音の音量調整に関連する画像と、前記発光手段の光量調整に関連する画像と、を表示可能であることを特徴とする遊技機。」
から、
（補正後：本件補正である令和１年６月１４日付け手続補正）
「【請求項１】
　始動条件の成立に基づき、識別情報が変動するゲームを実行可能な遊技機において、
　前記ゲームに対応する演出表示を表示可能な表示装置と、
　遊技者が操作可能な操作手段と、
　所定の音を出力可能な複数の音出力手段と、
　発光可能な複数の発光手段と、を備え、
　
前記複数の音出力手段と前記複数の発光手段は、ともに本体枠に配設され、
　前記複数の音出力手段のうちの一の音出力手段と操作手段の所定位置とを通る仮想的な第１直線又は第１平面と、前記複数の音出力手段のうちの他の音出力手段と操作手段の所定位置とを通る仮想的な第２直線又は第２平面とにより仮想的に規制された第１仮想規制領域が形成され、
　前記複数の発光手段のうちの一の発光手段と操作手段の所定位置とを通る仮想的な第３直線又は第３平面と、前記複数の発光手段のうちの他の発光手段と操作手段の所定位置とを通る仮想的な第４直線又は第４平面とにより仮想的に規制された第２仮想規制領域が形成され、
　前記表示装置は、前記第１仮想規制領域と前記第２仮想規制領域が重複する仮想規制領域内に、前記音出力手段から出力される所定の音の音量調整に関連する画像と、前記発光手段の光量調整に関連する画像と、を
同時に
に補正された（下線は、補正箇所を明示するために当審で付した）。
２　本件補正の適否
　本件補正は、本件補正前の請求項１に記載された発明を特定するために必要な事項である「複数の音出力手段」及び「複数の発光手段」が、「ともに本体枠に配設され」と限定されるとともに、本件補正前に「前記表示装置は、前記第１仮想規制領域と前記第２仮想規制領域が重複する仮想規制領域内に、前記音出力手段から出力される所定の音の音量調整に関連する画像と、前記発光手段の光量調整に関連する画像と、を」「表示可能である」とあったのを、「同時に」表示可能であると限定するものであって、補正前の請求項１に記載された発明と補正後の請求項１に記載される発明の産業上の利用分野及び解決しようとする課題が同一であるから、特許法１７条の２第５項第２号の特許請求の範囲の減縮を目的とするものに該当する。
　また、当該限定した事項について、前者の限定は、本願の願書に最初に添付した明細書、特許請求の範囲又は図面（以下「当初明細書等」という。）の【０００９】、【００１０】及び【図１】に、後者の限定は同じく【０８１２】、【図１８１】及び【図１８５】に、それぞれ記載された事項であるから、本件補正は、当初明細書等の記載の範囲内においてしたものである。
　そこで、本件補正後の請求項１に係る発明（以下「本願補正発明」という。）が特許法第１７条の２第６項において準用する同法第１２６条第７項の規定に適合するか（特許出願の際独立して特許を受けることができるものであるか）について以下に検討する。
３　本願補正発明の独立特許要件についての検討
（１）本願補正発明について
　本願補正発明は、上記１の本件補正の概要に示した次のとおりのものである（Ａ〜Ｊは、本願補正発明を分説するため当審にて付与した。）
「【請求項１】
Ａ　始動条件の成立に基づき、識別情報が変動するゲームを実行可能な遊技機において、
Ｂ　前記ゲームに対応する演出表示を表示可能な表示装置と、
Ｃ　遊技者が操作可能な操作手段と、
Ｄ　所定の音を出力可能な複数の音出力手段と、
Ｅ　発光可能な複数の発光手段と、を備え、
Ｆ　前記複数の音出力手段と前記複数の発光手段は、ともに本体枠に配設され、
Ｇ　前記複数の音出力手段のうちの一の音出力手段と操作手段の所定位置とを通る仮想的な第１直線又は第１平面と、前記複数の音出力手段のうちの他の音出力手段と操作手段の所定位置とを通る仮想的な第２直線又は第２平面とにより仮想的に規制された第１仮想規制領域が形成され、
Ｈ　前記複数の発光手段のうちの一の発光手段と操作手段の所定位置とを通る仮想的な第３直線又は第３平面と、前記複数の発光手段のうちの他の発光手段と操作手段の所定位置とを通る仮想的な第４直線又は第４平面とにより仮想的に規制された第２仮想規制領域が形成され、
Ｉ　前記表示装置は、前記第１仮想規制領域と前記第２仮想規制領域が重複する仮想規制領域内に、前記音出力手段から出力される所定の音の音量調整に関連する画像と、前記発光手段の光量調整に関連する画像と、を同時に表示可能であることを特徴とする
Ｊ　遊技機。」
（２）引用文献の記載事項
ア　引用文献１
　原査定の拒絶の理由で引用された、本願の出願前に頒布された又は電気通信回線を通じて公衆に利用可能となった刊行物である特開２０１６−１７２１７７号公報（平成２８年９月２９日出願公開。以下「引用文献１」という。）には、図面とともに次の事項が記載されている（下線は説明の便宜のために当審にて付した。以下同様）。
（ア）「【０００７】
　上記課題を解決するために、本発明の
遊技機
予め設定された始動条件の成立により、遊技者に遊技利益を付与するか否かを少なくとも決定するための判定処理を行う
前記遊技利益を付与するか否かが決定されると
該決定結果を報知するための変動演出を実行する
（イ）「【００１３】
　図１は、本実施形態の
遊技機１００
外枠１０２と、この外枠１０２にヒンジ機構によって開閉自在に取り付けられた中枠１０４と、この中枠１０４に、ヒンジ機構によって開閉自在に取り付けられた前枠１０６と、を備えている
【００１４】
　
中枠１０４は、
囲繞空間が形成されており、この囲繞空間に遊技盤１０８が保持されている
前枠１０６には、ガラス製または樹脂製の透過板１１０が保持されている
（ウ）「【００２４】
　
演出表示装置２００は、画像を表示する画像表示部からなる演出表示部２００ａを備え
演出表示部２００ａには、
演出図柄２１０ａ、２１０ｂ、２１０ｃが変動表示され、これら各演出図柄２１０ａ、２１０ｂ、２１０ｃの停止表示態様によって大役抽選結果が遊技者に報知される変動演出が実行される
・・・
【００２６】
　
演出照明装置２０４は、演出役物装置２０２や遊技盤１０８等に設けられており、演出表示部２００ａに表示される画像等に合わせて、さまざまに点灯制御される
【００２７】
　
音声出力装置２０６は、前枠１０６の上部位置
に設けられ
さまざまな音声を出力する
・・・
【００２９】
　
設定操作装置２０９は、遊技者の押下操作を受け付ける、上ボタン、下ボタン、左ボタン、右ボタンを備えた十字キーボタンで構成され
（エ）「【０３８８】
　ここで、上記のように、変動演出では、演出表示部２００ａに変動演出画像が表示されるとともに、音声出力装置２０６からは、変動演出画像に合わせた音声が出力される。このとき、サブＲＡＭ３３０ｃには、出力設定値として、
音声出力装置２０６の音量を示す音量設定値
演出表示部２００ａの輝度を示す輝度設定値
・・・
【０４０６】
　また、本実施形態では、図４７（ｆ）に示すように、客待ち状態に移行してからの経過時間が０〜５秒であるときに変更操作が入力されると、図４７（ｇ）に示すように、変動演出の実行中に変更操作が入力されたときと同一の処理が実行され、演出表示部２００ａに第３設定変更画像２１６が表示される。具体的には、変動演出の実行中に、
設定操作装置２０９の左ボタンまたは右ボタンが押下されると、
演出表示部２００ａの中央に、
第３音量設定変更画像２１６ａが表示される
設定操作装置２０９の上ボタンまたは下ボタンが押下されると、
演出表示部２００ａの中央に、
第３輝度設定変更画像２１６ｂが表示される
【０４０７】
　
第３音量設定変更画像２１６ａは、
音量設定値の変更を報知する画像であり
第３輝度設定変更画像２１６ｂは、
輝度設定値の変更を報知する画像である
（オ）【図２】
　以上の記載事項（ア）〜（オ）から、引用文献１には、次の技術的事項が記載されているものと認められる（ａ〜ｊは、本願補正発明の分説Ａ〜Ｊに対応させている）。
（ａ）記載事項（ア）から、
予め設定された始動条件の成立により、遊技者に遊技利益を付与するか否かを少なくとも決定するための判定処理を行い、前記遊技利益を付与するか否かが決定されると該決定結果を報知するための変動演出を実行する遊技機
（ｂ）記載事項（ウ）（【００２４】）から、
画像を表示する画像表示部からなる演出表示部２００ａを備え、演出表示部２００ａには、演出図柄２１０ａ、２１０ｂ、２１０ｃが変動表示され、その停止表示態様によって大役抽選結果が遊技者に報知される変動演出が実行される演出表示装置２００
（ｃ）記載事項（ウ）（【００２９】）から、
遊技者の押下操作を受け付ける、上ボタン、下ボタン、左ボタン、右ボタンを備えた十字キーボタンで構成された設定操作装置２０９
（ｄ）記載事項（ウ）（【００２７】）から、
さまざまな音声を出力する、前枠１０６の上部位置に設けられた音声出力装置２０６
　また、記載事項（オ）から、
音声出力装置２０６が前枠１０６の上部の左右位置に設けられること
（ｅ）記載事項（ウ）（【００２６】）から、
演出役物装置２０２や遊技盤１０８等に設けられており、演出表示部２００ａに表示される画像等に合わせて、さまざまに点灯制御される演出照明装置２０４
（ｆ、ｊ）記載事項（イ）から、
遊技機１００は、外枠１０２と、この外枠１０２にヒンジ機構によって開閉自在に取り付けられた中枠１０４と、この中枠１０４に、ヒンジ機構によって開閉自在に取り付けられた前枠１０６と、を備え、中枠１０４は、囲繞空間が形成されており、この囲繞空間に遊技盤１０８が保持され、前枠１０６には、ガラス製または樹脂製の透過板１１０が保持されている
（ｉ）記載事項（エ）から、
設定操作装置２０９の左ボタンまたは右ボタンが押下されると、演出表示部２００ａの中央に、音声出力装置２０６の音量を示す音量設定値の変更を報知する画像である第３音量設定変更画像２１６ａが表示され、設定操作装置２０９の上ボタンまたは下ボタンが押下されると、演出表示部２００ａの中央に、演出表示部２００ａの輝度を示す輝度設定値の変更を報知する画像である第３輝度設定変更画像２１６ｂが表示される
　以上の記載事項（ア）〜（オ）及び認定事項（ａ）〜（ｊ）を総合すると、引用文献１には、以下の発明（以下、「引用発明」という。）が記載されている（分説ａ〜ｊは、本願補正発明の分説Ａ〜Ｊに対応させて付与した）。
「ａ　予め設定された始動条件の成立により、遊技者に遊技利益を付与するか否かを少なくとも決定するための判定処理を行い、前記遊技利益を付与するか否かが決定されると該決定結果を報知するための変動演出を実行する遊技機であって、
ｂ　画像を表示する画像表示部からなる演出表示部２００ａを備え、演出表示部２００ａには、演出図柄２１０ａ、２１０ｂ、２１０ｃが変動表示され、その停止表示態様によって大役抽選結果が遊技者に報知される変動演出が実行される演出表示装置２００と、
ｃ　遊技者の押下操作を受け付ける、上ボタン、下ボタン、左ボタン、右ボタンを備えた十字キーボタンで構成された設定操作装置２０９と、
ｄ　さまざまな音声を出力する、前枠１０６の上部の左右位置に設けられた音声出力装置２０６と、
ｅ　演出役物装置２０２や遊技盤１０８等に設けられており、演出表示部２００ａに表示される画像等に合わせて、さまざまに点灯制御される演出照明装置２０４と、
ｆ　外枠１０２と、この外枠１０２にヒンジ機構によって開閉自在に取り付けられた中枠１０４と、この中枠１０４に、ヒンジ機構によって開閉自在に取り付けられた前枠１０６と、を備え、中枠１０４は、囲繞空間が形成されており、この囲繞空間に遊技盤１０８が保持され、前枠１０６には、ガラス製または樹脂製の透過板１１０が保持されており、
ｉ　設定操作装置２０９の左ボタンまたは右ボタンが押下されると、演出表示部２００ａの中央に、音声出力装置２０６の音量を示す音量設定値の変更を報知する画像である第３音量設定変更画像２１６ａが表示され、設定操作装置２０９の上ボタンまたは下ボタンが押下されると、演出表示部２００ａの中央に、演出表示部２００ａの輝度を示す輝度設定値の変更を報知する画像である第３輝度設定変更画像２１６ｂが表示される
ｊ　遊技機１００。」
イ　引用文献２
　原査定の拒絶の理由で周知技術の例として引用された、本願の出願前に頒布された又は電気通信回線を通じて公衆に利用可能となった刊行物である、特開２０１３−１６５７８４号公報（以下「引用文献２」という。）には、図面とともに次の事項が記載されている。
（ア）「【００２７】
　
遊技領域３１に配設された第１入賞口６１の左右方向には、一対の下部装飾部材６９；６９が配設される。下部装飾部材６９；６９は、遊技領域３１の外周部より内側方向にせり出して延出する光透過性の収容体であって、内部にそれぞれ発光部４０Ａが収容される。
ウ　引用文献３
　原査定の拒絶の理由で周知技術の例として引用された、本願の出願前に頒布された又は電気通信回線を通じて公衆に利用可能となった刊行物である、特開２０１４−１７１７３６号公報（以下「引用文献３」という。）には、図面とともに次の事項が記載されている。
（ア）「【００２３】
　以下、本発明の実施形態を図面に基づいて詳述する。図１〜図５は本発明をパチンコ機に採用した第１の実施形態を例示している。図１において、
遊技機本体１は、矩形状の外枠２と、
前枠４とを備えている
【００２４】
　前枠４には、その上部側に遊技盤５等が、下部側に発射手段６等が夫々配置されており、その
前枠４の前側には、遊技盤５の前側を覆うガラス扉７
枢着されている
【００２５】
　
ガラス扉７には、遊技盤５の前面側に設けられた遊技領域１０に対応するガラス窓１１が設けられており
ガラス扉７の前面側は、ガラス窓１１を除く略全面が合成樹脂製の前面パネル１２により覆われている
・・・
【００２７】
　また、
前枠４の前側には
スピーカ１９が配置されると共に
ガラス窓１１を除く略全面（周辺領域の一例）にわたって多数の枠側ＬＥＤ（周辺発光体）２０が配置されている。この枠側ＬＥＤ２０は、ガラス扉７上の前面パネル１２内に配置される枠上部ＬＥＤ２０ａ
（イ）【図２】
エ　引用文献４
　周知技術の例として引用する、本願の出願前に頒布された又は電気通信回線を通じて公衆に利用可能となった刊行物である、特開２０１５−９７５５３号公報（以下「引用文献４」という。）には、図面とともに次の事項が記載されている。
（ア）「【００２３】
　
パチンコ遊技機１は、
外枠１００と、
前面枠１０１と、で主に構成されている。前面枠１０１の前面には、ガラス扉枠１０２
が
設けられている。
・・・
【００２８】
　
ガラス扉枠１０２の背面には、前面枠１０１に対して着脱可能に取り付けられた遊技盤６が配置されている
遊技盤６の前面には遊技領域７が形成されている
・・・
【００４６】
　
遊技領域７の外側の左右上部には、効果音を発する２つのスピーカ２７Ｌ，２７Ｒが設けられ
遊技領域７の外周には、
左枠ＬＥＤ２８ｂ
が内蔵される左発光部２８Ｌおよび右枠ＬＥＤ２８ｃ
が内蔵される右発光部２８Ｒが設けられている。
（イ）「【０２６５】
　図２７及び図２８は、図２０に示されたサブＣＰＵタイマ割込処理における演出設定調整処理を示すフローチャートである。
演出設定調整処理では
【０２６６】
　操作ボタン５１６の長押し操作が無い場合は（ステップＳｈ４；Ｎｏ）、ステップＳｈ２０に進み、
操作ボタン５１６の長押し操作が有る場合は
【０２６７】
　一方、音量・光量調整制限報知の実行中である場合（ステップＳｈ１１；Ｙｅｓ）には、ステップＳｈ１３に進んで、報知タイマをマイナス１した後、該マイナス後の報知タイマがタイマアップしたか否かを判定し（ステップＳｈ１４）、タイマアップしていない場合（ステップＳｈ１４；Ｎｏ）には演出設定調整処理を終了し、タイマアップしている場合（ステップＳｈ１４；Ｙｅｓ）には音量・光量調整制限報知を終了して演出設定調整処理を終了する。
【０２６８】
　また、
節電モードでない場合は
設定切替スイッチ３００により設定されているチャンネルがチャンネルＢ〜チャンネルＦのいずれかである場合は（ステップＳｈ６；Ｙｅｓ）、演出表示装置９の画面に、音量を『２〜１４』の範囲で調整可能且つ、光量を『１００％』、『７５％』、『５０％』のから調整可能な設定調整画面を表示し
（ステップＳｈ７）
【０２６９】
　設定切替スイッチ３００により設定されているチャンネルがチャンネルＢ〜チャンネルＦのいずれでもない場合は（ステップＳｈ６；Ｎｏ）、設定切替スイッチ３００により設定されているチャンネルがチャンネル５〜チャンネルＡのいずれかであるか否かを判定する（ステップＳｈ８）。
設定切替スイッチ３００により設定されているチャンネルがチャンネル５〜チャンネルＡのいずれかである場合は（ステップＳｈ８；Ｙｅｓ）演出表示装置９の画面に、音量を『２〜９』の範囲で調整可能且つ、光量を『１００％』、『６５％』、『３０％』のから調整可能な設定調整画面を表示し（ステップＳｈ９）
【０２７０】
　
設定切替スイッチ３００により設定されているチャンネルがチャンネル５〜チャンネルＡのいずれでもない場合は（ステップＳｈ８；Ｎｏ）演出表示装置９の画面に、音量を『０〜１』の範囲で調整可能且つ、光量を『１００％』、『６５％』、『３０％』のから調整可能な設定調整画面を表示し（ステップＳｈ１０）
【０２７１】
　尚、
これらステップＳｈ７、ステップＳｈ９及びステップＳｈ１０における設定調整画面では、具体的には、図３１に示すように、スピーカ２７Ｌ，２７Ｒ，２７ａ，２７ｂの音量を各ステップにおいて定められた範囲で操作レバー６００によって選択可能なダイアログと、装飾ＬＥＤ２５ａ、ステージ装飾ＬＥＤ２５ｂ、天ランプモジュール５３０、左枠ＬＥＤ２８ｂ、右枠ＬＥＤ２８ｃ、バックライト９ｄの光量を各ステップにおいて定められた範囲で操作レバー６００によって選択可能なダイアログとが表示されている
遊技者は、操作レバー６００を上下に傾動させることで、音量と光量とから変更を所望する設定を選択し、該選択の後に操作レバー６００の左右への傾動と操作ボタン５１６の操作により、音量と光量とを独立して設定することが可能となっている
（ウ）図１
（エ）図３１
オ　引用文献５
　周知技術の例として引用する、本願の出願前に頒布された又は電気通信回線を通じて公衆に利用可能となった刊行物である、特開２０１２−８５８５８号公報（以下「引用文献５」という。）には、図面とともに次の事項が記載されている。
（ア）「【００６１】
　図５は、客待ちモードにおいて画像表示部２１に表示される客待ち画面の一例を示している。客待ち画面には、遊技機１の演出動作に関する各種調整項目の調整を遊技者が行うことが可能な遊技者用の調整モード（以下、ユーザ調整モードと称す）へと移行するためのコマンド（本実施形態では、演出キー５８の中央キー５８Ｅの押下）を示す案内画像７０が含まれている。客待ちモードにおいて遊技者が当該コマンドを入力する（すなわち、演出キー５８の中央キー５８Ｅを押下する）と、
遊技機１の動作モードが
ユーザ調整モードへと移行する
・・・
【００６６】
　
図８は、ユーザ調整モードにおいて画像表示部２１に表示されるユーザ調整画面
ユーザ調整画面には、「画面輝度」、「ランプ輝度」等の各種調整項目と、それぞれの調整項目の設定値（「暗い〜明るい」等）が表示されている
・・・
【００８６】
　次に、図１２のフローチャートを参照して、図１０のステップＳ１８の
ユーザ調整処理
【００８７】
　図１２のステップＳ３０において、
ＣＰＵ４０１は、
図８に示すようなユーザ調整画面を画像表示部２１に表示する
【００８８】
　ステップＳ３１において、
ＣＰＵ４０１は、演出キー５８から出力される操作データに基づいて、
調整項目の選択
およびユーザ設定値の変更
を行う
（イ）図８
（３）対比
　本願補正発明と引用発明とを対比する（見出しａ〜ｊは、本願補正発明の分説Ａ〜Ｊに対応させて付与した）。
ａ　引用発明の「ａ　予め設定された始動条件の成立により、遊技者に遊技利益を付与するか否かを少なくとも決定するための判定処理を行い、前記遊技利益を付与するか否かが決定されると該決定結果を報知するための変動演出を実行する遊技機」は、本願補正発明の「Ａ　始動条件の成立に基づき、識別情報が変動するゲームを実行可能な遊技機」に相当する。
ｂ　引用発明の「ｂ　画像を表示する画像表示部からなる演出表示部２００ａを備え、演出表示部２００ａには、演出図柄２１０ａ、２１０ｂ、２１０ｃが変動表示され、その停止表示態様によって大役抽選結果が遊技者に報知される変動演出が実行される演出表示装置２００」は、本願補正発明の「Ｂ　前記ゲームに対応する演出表示を表示可能な表示装置」に相当する。
ｃ　引用発明の「ｃ　遊技者の押下操作を受け付ける、上ボタン、下ボタン、左ボタン、右ボタンを備えた十字キーボタンで構成された設定操作装置２０９」は、本願補正発明の「Ｃ　遊技者が操作可能な操作手段」に相当する。
ｄ　引用発明の「音声出力装置２０６」は、「左右位置に設けられ」ているから、複数あることは明らかであり、引用発明の「ｄ　さまざまな音声を出力する、前枠１０６の上部の左右位置に設けられた音声出力装置２０６」は、本願補正発明の「Ｄ　所定の音を出力可能な複数の音出力手段」に相当する。
ｅ　引用発明の「演出照明装置２０４」は、「演出役物装置２０２や遊技盤１０８等に設けられ」ているから、複数あることは明らかであり、引用発明の「ｅ　演出役物装置２０２や遊技盤１０８等に設けられており、演出表示部２００ａに表示される画像等に合わせて、さまざまに点灯制御される演出照明装置２０４」は、本願補正発明の「Ｅ　発光可能な複数の発光手段」に相当する。
ｆ　本願補正発明の音出力手段と発光手段が配設される「本体枠」について、発明の詳細な説明に「【０００９】　本実施形態の
遊技機１０は前面枠１２を備え、該前面枠１２は外枠（支持枠）１１に開閉回動可能に組み付けられている
前面枠（本体枠）１２には
カバーガラス（透明部材）１４を備えたガラス枠１５
が取り付けられている
【００１０】　また、
ガラス枠１５の左右には
発光をする枠装飾装置１８や、音響
を発するスピーカ
１９ａが設けられている
　そして、引用発明においては「音声出力装置２０６」は「前枠１０６」「に設けられ」ている（構成ｄ）一方、「演出照明装置２０４」は「演出役物装置２０２や遊技盤１０８等に設けられ」ている（構成ｅ）。
　そうすると、引用発明の構成ｄ、ｅ、ｆと、本願補正発明の「Ｆ　前記複数の音出力手段と前記複数の発光手段は、ともに本体枠に配設され」とは、「Ｆ’　前記複数の音出力手段は、本体枠に配設され」る点で共通する。
ｉ　引用発明の「音声出力装置２０６の音量を示す音量設定値の変更を報知する画像である第３音量設定変更画像２１６ａ」は、本願補正発明の「前記音出力手段から出力される所定の音の音量調整に関連する画像」に相当する。また、引用発明の「演出表示部２００ａの輝度を示す輝度設定値の変更を報知する画像である第３輝度設定変更画像２１６ｂ」は、本願補正発明の「前記発光手段の光量調整に関連する画像」と、「明るさの調整に関連する画像」で共通するといえる。
　そうすると、引用発明の「ｉ　設定操作装置２０９の左ボタンまたは右ボタンが押下されると、演出表示部２００ａの中央に、音声出力装置２０６の音量を示す音量設定値の変更を報知する画像である第３音量設定変更画像２１６ａが表示され、設定操作装置２０９の上ボタンまたは下ボタンが押下されると、演出表示部２００ａの中央に、演出表示部２００ａの輝度を示す輝度設定値の変更を報知する画像である第３輝度設定変更画像２１６ｂが表示される」ことと、本願補正発明の「Ｉ　前記表示装置は、前記第１仮想規制領域と前記第２仮想規制領域が重複する仮想規制領域内に、前記音出力手段から出力される所定の音の音量調整に関連する画像と、前記発光手段の光量調整に関連する画像と、を同時に表示可能である」こととは、「Ｉ’　前記表示装置は、前記音出力手段から出力される所定の音の音量調整に関連する画像と、明るさの調整に関連する画像と、を表示可能である」ことで、共通する。
ｊ　引用発明の「ｊ　遊技機１００」は、本願補正発明の「Ｊ　遊技機」に相当する。
　上記ａ〜ｊによれば、本願補正発明と引用発明とは、
「Ａ　始動条件の成立に基づき、識別情報が変動するゲームを実行可能な遊技機において、
Ｂ　前記ゲームに対応する演出表示を表示可能な表示装置と、
Ｃ　遊技者が操作可能な操作手段と、
Ｄ　所定の音を出力可能な複数の音出力手段と、
Ｅ　発光可能な複数の発光手段と、を備え、
Ｆ’　前記複数の音出力手段は、本体枠に配設され
Ｉ’　前記表示装置は、前記音出力手段から出力される所定の音の音量調整に関連する画像と、明るさの調整に関連する画像と、を表示可能である
Ｊ　遊技機。」
である点で一致し、次の３点で相違する。
相違点１　本願補正発明は「複数の発光手段は」「本体枠に配設され」る（構成Ｆ）のに対し、引用発明では、「演出照明装置２０４」は「演出役物装置２０２や遊技盤１０８等に設けられ」ている（構成ｅ）点。
相違点２　本願補正発明では、明るさの調整に関連する画像は「発光手段の光量調整に関連する画像」であり、音出力手段から出力される所定の音の音量調整に関連する画像と、発光手段の光量調整に関連する画像と、を「同時に」表示可能である（構成Ｉ）のに対し、引用発明では、明るさの調整に関連する画像は「演出表示部２００ａの輝度を示す輝度設定値の変更を報知する画像」であり、また、音量設定値の変更を報知する画像と輝度設定値の変更を報知する画像との表示が「同時」であることは特定されていない（構成ｉ）点。
相違点３　本願補正発明は「Ｇ　前記複数の音出力手段のうちの一の音出力手段と操作手段の所定位置とを通る仮想的な第１直線又は第１平面と、前記複数の音出力手段のうちの他の音出力手段と操作手段の所定位置とを通る仮想的な第２直線又は第２平面とにより仮想的に規制された第１仮想規制領域が形成され、
Ｈ　前記複数の発光手段のうちの一の発光手段と操作手段の所定位置とを通る仮想的な第３直線又は第３平面と、前記複数の発光手段のうちの他の発光手段と操作手段の所定位置とを通る仮想的な第４直線又は第４平面とにより仮想的に規制された第２仮想規制領域が形成され」、「前記第１仮想規制領域と前記第２仮想規制領域が重複する仮想規制領域内に」「前記発光手段の光量調整に関連する画像と、を」表示可能である（構成Ｉ）のに対し、引用発明では、変更を報知する画像が表示される場所は「演出表示部２００ａの中央」である（構成ｉ）点。
（４）判断
　以下、相違点について検討する。
ア　相違点１について
　上記（２）ウで示したように、引用文献３には、前枠４の前側に、ガラス窓１１を除く略全面のガラス扉７上の前面パネル１２内に、枠上部ＬＥＤ２０ａを配置することが記載されている。この引用文献３に記載された前枠４は、スピーカ１９が配置されることからして、本願補正発明の「本体枠」に相当するものである。
　また、上記（２）エ（ア）及び（ウ）で示したように、引用文献４には、遊技領域７の外周には、左枠ＬＥＤ２８ｂが内蔵される左発光部２８Ｌおよび右枠ＬＥＤ２８ｃが内蔵される右発光部２８Ｒが設けられていることが記載されている。この遊技領域７は遊技盤６の前面に形成されているものであり、遊技盤６は、ガラス扉枠１０２の背面に、前面枠１０１に対して着脱可能に取り付けられるものであること、また、遊技領域７の外側の左右上部には、スピーカ２７Ｌ，２７Ｒが設けられていることからして、左発光部２８Ｌ及び右発光部２８Ｒが設けられることとなるガラス扉枠１０２は、本願補正発明の「本体枠」に相当するものである。
　これら引用文献３及び引用文献４の記載によれば、複数の発光手段を本体枠に設けることは、周知の技術であるといえる（以下「周知技術１」という）。
　そして、引用発明の「演出照明装置２０４」は、「演出表示部２００ａに表示される画像等に合わせて、さまざまに点灯制御される」ものであり、演出のために配置される場所としては「演出役物装置２０２や遊技盤１０８」に限られるものではないから、引用発明に周知技術１を適用し、本願補正発明の相違点１に係る構成とすることは、当業者であれば容易になし得たことである。
イ　相違点２について
　上記（２）エ（イ）及び（エ）で示したように、引用文献４には、演出設定調整処理として、演出表示装置９の画面に、設定切替スイッチ３００の設定に応じた範囲で、音量及び光量を調整可能な設定調整画面を表示し、遊技者は、操作レバー６００の上下及び左右の傾動により、音量と光量とを独立して設定できることが記載されている。また、調整する光量としては、「装飾ＬＥＤ２５ａ、ステージ装飾ＬＥＤ２５ｂ、天ランプモジュール５３０、左枠ＬＥＤ２８ｂ、右枠ＬＥＤ２８ｃ」と「バックライト９ｄ」の光量があること（【０２７１】）が、記載されている。
　また、上記（２）オで示したように、引用文献５には、ユーザ調整モードにおいて画像表示部２１に表示されるユーザ調整画面として、「画面輝度」、「ランプ輝度」及び「音量」等の各種調整項目と、それぞれの調整項目の設定値（「暗い〜明るい」、「小さい〜大きい」等）が表示され、演出キー５８から出力される操作データに基づいて、調整項目の選択及びユーザ設定値の変更が行われることが記載されている。
　これら引用文献４及び引用文献５の記載によれば、音量の調整画面と、画面の輝度やランプの輝度の調整画面とを、同時に表示することは、周知の技術であるといえる（以下「周知技術２」という）。
　引用発明は、「演出表示部２００ａの輝度を示す輝度設定値の変更」をしようとするものであるが、輝度の調整として画面の輝度のみならずランプの輝度を調整しようとすることは、上記周知技術２に示すとおりである。また、音量の調整画面と輝度の調整画面とを同時に表示することも上記周知技術２に示すとおりであるところ、引用発明は、「左ボタンまたは右ボタン」が押下されると音量設定値の変更を報知する画像が、「上ボタンまたは下ボタン」が押下されると輝度設定値の変更を報知する画像が表示されるものであり、音量の変更及び輝度の変更は、それぞれ異なるボタンに割り当てられているものであるから、音量設定値と輝度設定値それぞれの変更を報知する画像が同時に表示されたとしても、引用文献４及び引用文献５それぞれに記載されたものと同様、異なるボタンの操作によりそれぞれの変更ができるものである。そうすると、引用発明に、周知技術２を適用し、本願補正発明の相違点２に係る構成とすることは、当業者であれば容易になし得たことである。
ウ　相違点３について
　上記ア及びイで示したように、引用発明に、周知技術１及び周知技術２を適用した遊技機（以下、「遊技機Ａ」という。）について、検討する。
　遊技機Ａは、前枠１０６の上部の左右位置に音声出力装置２０６が設けられており（構成ｅ）、これらのうちの一の音声出力装置２０６と設定操作装置２０９とを通る第１直線又は第１平面と、他の音声出力装置２０６と設定操作装置２０９とを通る第２直線又は第２平面とを想定することができ、これら第１直線又は第１平面と、第２直線又は第２平面とにより形成された第１領域を想定することができる。
　また、遊技機Ａの、複数の発光手段が設けられる位置については、引用文献３に示される、前枠４の前側で、ガラス窓１１を除く略全面のガラス扉７上の前面パネル１２内や、引用文献４に示される、遊技領域７の外周の左発光部２８Ｌ及び右発光部２８Ｒに共通するような、遊技機Ａの前枠１０６の左右の位置とすることが考えられる。そのような構成において、遊技機Ａの前枠１０６の左に設けられた発光手段と設定操作装置２０９とを通る第３直線又は第３平面と、前枠１０６の右に設けられた発光手段と設定操作装置２０９とを通る第４直線又は第４平面とを想定することができ、これら第３直線又は第３平面と、第４直線又は第４平面とにより形成された第２領域を想定することができる。
　そして、遊技機Ａにおいて、音声出力装置２０６が設けられる位置は、前枠１０６の上部の左右位置であって、複数の発光手段が設けられることとなる位置である前枠１０６の左右の位置より上の位置であるから、上記第１領域と第２領域とは、第１領域で重複することとなる。また、引用文献１の【図２】（上記（２）ア（オ））を参照すると、上記第１領域は、演出表示部２００ａの中央を含めて多くの領域を覆うこととなる。
　そうすると、遊技機Ａは、上述のとおり第１領域及び第２領域を想定することができ、音量設定値と輝度設定値それぞれの変更を報知する画像が同時に表示されることとなる演出表示部２００ａの中央は、第１領域と第２領域とが重複する領域内のものであるから、遊技機Ａは本願補正発明の相違点３に係る構成を有するものである。
エ　そして、これらの相違点を総合的に勘案しても、本件補正発明の奏する作用効果は、引用発明、周知技術１及び周知技術２の奏する作用効果から予測される範囲内のものにすぎず、格別顕著なものということはできない。
オ　したがって、本願補正発明は、引用発明、周知技術１及び周知技術２に基づいて、当業者であれば容易に発明をすることができたものである。
（５）請求人の主張について
　請求人は審判請求書において、
　「つまり、引用文献１には、本願のように輝度の調整画像を第２仮想規制領域内に表示するという技術的思想は開示されておらず、したがって第１仮想規制領域と第２仮想規制領域が重複する領域内に音量の調整画像と輝度の調整画像を同時に表示するという技術的思想も当然ながら開示されておりません。なお、引用文献２、３には音量や輝度を示す画像の表示位置についての記載や示唆はありません。
　このように、引用文献１から３には本願発明の特徴部分の一つである第２仮想規制領域という概念が一切開示されておらず、このような引用文献１から３に接した当業者がこれらの記載に基づいて「第１仮想規制領域と第２仮想規制領域が重複する領域内に音量の調整画像と輝度の調整画像を同時に表示する」という構成を想到することは到底考えられません。
　本願発明は、第１仮想規制領域や第２仮想規制領域という仮想的な領域を考慮するという従来にない観点からの画像配置を特徴とするものであり、上述したようにこのような特徴は本願の出願以前に存在していたものではなく、このような構成を想到したこと自体が従来技術に対する大きな進歩となります。
　そしてこのような特徴により、音量の調整に関する仮想規制領域に音量の調整画像を配置するとともに、輝度の調整に関する仮想規制領域に輝度の調整画像を配置するので分かり易い調整を行うことができます。更に音量の調整に関する仮想規制領域と輝度の調整に関する仮想規制領域の重複する領域に音量の調整画像と輝度の調整画像を配置したので、調整に対する遊技者の視線の移動量が小さくなり、操作手段、発光手段や音出力手段に対してより自然な流れで視線を移動させることができます。さらに、音量の調整画像と光量の調整画像を同時に表示するようにしているので、音量と光量の両方を調整する際にも画像の切り替わりがなく、視線を移動させることなく両方の状態を確認することができます。
　したがって、音量の調整画像や光量の調整画像といった遊技に関する重要度の高い情報が視認し易く遊技の興趣が向上します。また、遊技者が音量の調整画像及び光量の調整画像を視認し易いことから、遊技中等に音量調整及び光量調整を行い易くすることができます。」
と主張している。
　しかし、請求人が主張するように、引用文献１には、第１仮想規制領域と第２仮想規制領域が重複する領域内に音量の調整画像と輝度の調整画像を表示するという技術的思想が開示されていないとしても、上記（４）ア及びウで示したとおりである。
　また、請求人が主張する「したがって、音量の調整画像や光量の調整画像といった遊技に関する重要度の高い情報が視認し易く遊技の興趣が向上します。また、遊技者が音量の調整画像及び光量の調整画像を視認し易いことから、遊技中等に音量調整及び光量調整を行い易くすることができます」との点についても、上記（４）ウ及びエで示したとおりであり、引用発明に上記周知技術１及び周知技術２を適用した構成（「遊技機Ａ」）において、音量設定値と輝度設定値それぞれの変更を報知する画像が同時に第１領域と第２領域とが重複する領域に表示されることで、請求人が主張するような効果を奏することができること、及び、本願においても、【図１８１】、【図１８５】の記載からみて、第１仮想規制領域と第２仮想規制領域が重複する領域は、表示装置の中央を含む相当程度の面積を有することを考慮すれば、本願補正発明は、従前の遊技機が有し得ていた事項について、それを示す記述を新たに作出したにすぎないものである。
（６）まとめ
　以上のように、本願補正発明は、引用発明、周知技術１及び周知技術２に基づいて、当業者であれば容易に発明をすることができたものであるから、特許法第２９条第２項の規定により、特許出願の際独立して特許を受けることができない。
４　補正の却下の決定についてのむすび
　上記３より、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１　本願発明
　本件補正（令和１年６月１４日付け手続補正）は、上記第２のとおり却下されたので、本願の請求項１に係る発明（以下、「本願発明」という。）は、平成３１年２月２７日付け手続補正書により補正された、上記第２［理由］１で示した特許請求の範囲の請求項１に記載された次のとおりのものである。
「【請求項１】
　始動条件の成立に基づき、識別情報が変動するゲームを実行可能な遊技機において、
　前記ゲームに対応する演出表示を表示可能な表示装置と、
　遊技者が操作可能な操作手段と、
　所定の音を出力可能な複数の音出力手段と、
　発光可能な複数の発光手段と、を備え、
　前記複数の音出力手段のうちの一の音出力手段と操作手段の所定位置とを通る仮想的な第１直線又は第１平面と、前記複数の音出力手段のうちの他の音出力手段と操作手段の所定位置とを通る仮想的な第２直線又は第２平面とにより仮想的に規制された第１仮想規制領域が形成され、
　前記複数の発光手段のうちの一の発光手段と操作手段の所定位置とを通る仮想的な第３直線又は第３平面と、前記複数の発光手段のうちの他の発光手段と操作手段の所定位置とを通る仮想的な第４直線又は第４平面とにより仮想的に規制された第２仮想規制領域が形成され、
　前記表示装置は、前記第１仮想規制領域と前記第２仮想規制領域が重複する仮想規制領域内に、前記音出力手段から出力される所定の音の音量調整に関連する画像と、前記発光手段の光量調整に関連する画像と、を表示可能であることを特徴とする遊技機。」
２　原査定の拒絶の理由の概略
理由２．（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
理由２．（特許法第２９条第２項）
・請求項１
引用文献１〜３
　　　　　　　　　　　　　＜引用文献等一覧＞
１．特開２０１６−１７２１７７号公報
２．特開２０１３−１６５７８４号公報（周知技術を示す文献）
３．特開２０１４−１７１７３６号公報（周知技術を示す文献）
３　引用文献
　原査定の拒絶の理由で引用された、引用文献１の記載事項は、上記第２［理由］３（２）アに記載したとおりである。
４　対比
　本願補正発明は、上記第２［理由］２で示したとおり、本願発明に対して、「複数の音出力手段」及び「複数の発光手段」が、「ともに本体枠に配設され」と限定するとともに、「前記表示装置は、前記第１仮想規制領域と前記第２仮想規制領域が重複する仮想規制領域内に、前記音出力手段から出力される所定の音の音量調整に関連する画像と、前記発光手段の光量調整に関連する画像と、を」「表示可能である」を、「同時に」表示可能であると限定したものである。
　そうすると、本願発明と引用発明とは、上記第２［理由］３（３）で示した相違点３で相違するとともに、次の相違点４で相違する。
相違点４　本願発明では、「前記発光手段の光量調整に関連する画像」を表示可能であるのに対し、引用発明では、表示される画像は、「演出表示部２００ａの輝度を示す輝度設定値の変更を報知する画像」である点。
５　判断
（１）　相違点４について
　上記第２［理由］３（２）イで示したように、引用文献２には、遊技領域３１の左右方向には、遊技領域３１の外周部より内側方向にせり出して延出する光透過性の収容体であって、内部にそれぞれ発光部４０Ａが収容される、一対の下部装飾部材６９；６９が配設されることが記載されている。
　また、上記第２［理由］３（２）ウで示したように、引用文献３には、前枠４の前側に、ガラス窓１１を除く略全面のガラス扉７上の前面パネル１２内に、枠上部ＬＥＤ２０ａを配置することが記載されている。
　これら引用文献２及び引用文献３の記載によれば、遊技領域３１の左右の外周部に複数の発光手段を設けることは、周知の技術であるといえる（以下「周知技術３」という）。
　そして、引用発明の「演出照明装置２０４」は、「演出表示部２００ａに表示される画像等に合わせて、さまざまに点灯制御される」ものであり、演出のために配置される場所としては「演出役物装置２０２や遊技盤１０８」に限られるものではないから、引用発明に周知技術３を適用することは、当業者であれば容易になし得たことである。その際に、引用発明において、演出表示部２００ａの輝度を示す輝度設定値を変更するのみならず、周知技術３の発光手段の輝度も変更できるようにすることは、周知技術３の適用にあたり、当業者であれば容易になし得た範囲内のことである。
（２）　相違点３について
　上記（１）で示したように、引用発明に周知技術３を適用した遊技機において、上記第２［理由］３（４）ウで示したことと同様に、第１直線又は第１平面と、第２直線又は第２平面とにより形成された第１領域、及び、第３直線又は第３平面と、第４直線又は第４平面とにより形成された第２領域を想定することができ、第１領域と第２領域とは、第１領域で重複することとなり、音量設定値と輝度設定値それぞれの変更を報知する画像が表示される演出表示部２００ａの中央は、第１領域と第２領域とが重複する領域内のものである。
　そうすると、引用発明に、上記周知技術３を適用した遊技機は、本願発明の相違点３に係る構成を有するものである。
（３）以上の相違点を総合的に勘案しても、本件発明の奏する作用効果は、引用発明及び周知技術３の奏する作用効果から予測される範囲内のものにすぎず、格別顕著なものということはできない。
（４）したがって、本願発明は、引用発明及び周知技術３に基づいて、当業者が容易に発明をすることができたものである。
第４　むすび
　以上のとおり、本願発明は、特許法第２９条第２項の規定により特許を受けることができないから、本願は拒絶すべきものである。
　よって、結論のとおり審決する。